(57)【要約】      （修正有）【課題】身体の損傷の危険を大きく減少させ、運動が外で行われた場合の実際の条件にできるだけ近いランニングマシンを提供する。【解決手段】シャシ及びフレームと、シャシ又はフレームに取り付けられた樹脂、ゴム又は他の同様な弾性材からなるベルトと、ベルトの長さ方向の動きのためにベルトに取り付けられた電気駆動手段と、ベルトの傾斜調節装置と、電気駆動手段及び傾斜調節装置を制御する、フレーム上方に取り付けられ操作パネルに接続されたマイクロコントローラとを備える。ベルトは、人工芝を主とした表面を有する。【選択図】図１
0003164376.tif 000002
【実用新案登録請求の範囲】
【請求項１】
シャシ及びフレームと、
前記シャシ又はフレームに取り付けられた樹脂、ゴム又は他の同様な弾性材からなるベルトと、
前記ベルトの長さ方向の動きのために前記ベルトに取り付けられた電気駆動手段と、
前記ベルトの傾斜調節装置と、
前記電気駆動手段及び前記傾斜調節装置を制御する、前記フレーム上方に取り付けられ操作パネルに接続されたマイクロコントローラとを備え、
前記ベルトは、人工芝を主とした表面を有することを特徴とする運動用ランニングマシン。
【考案の詳細な説明】
【技術分野】
【０００１】
本考案は、カロリーを消費し、スポーツのランニング競技をトレーニングするための、屋内運動場、ホテル、スポーツ施設、市街地又は自宅で使用される運動用ランニングマシンに関する。
【０００２】
本考案の目的は、初心者のランナー及びベテランが、特に芝生によって作り出される特定のタイプの地形にカスタマイズしてトレーニングすることができる屋内運動用のランニングマシンを提供することである。
【背景技術】
【０００３】
スポーツ及び健康の文化が、あらゆる社会階層において次第に広まっていることは承知のとおりである。このような環境で、ランニングは社会で最も行われているスポーツの１つである。
【０００４】
ランニングは、関節、腱、靱帯などに圧迫及び微視的損傷を引き起こす連続する跳躍の最たるものであり、負担のかかる運動であるといわれている。
【０００５】
ランニングが負担のかかる運動であることを認識して、そのような運動が私たちの身体、及び健康のために運動をするという理念の害にならないようにし、そして怪我をしないように、必要な予防措置が取られなければならない。
【０００６】
この意味において、この種の微視的損傷を避けるために決め手となる要素がある。１つは靴であり、他にはこのような運動が行われる表面の選択である。
【０００７】
アスファルトのような硬い表面は、大きな反動を生み、衝撃吸収性が少なく、損傷及び腱炎（腱の炎症）、骨膜炎（骨を覆う膜である骨膜の炎症）、関節病変などの危険性を増大させる。
【０００８】
さらに、太り過ぎの人ではこれらの不便は増加し、この種の身体的活動を始め、トレーニングする表面の選択に関するこれらの専門的な問題に気付いていない人では慢性的であることに言及することが極めて重要である。
【０００９】
したがって、太り過ぎでは、コンクリート、アスファルト、床板などの硬い地面で運動しないように、より気を付けなければならない。
【００１０】
同様に、各年、トレーニングジムに通う人の数は徐々に増加している。これらの人のほとんどは、体重を減らすカロリーの消費に関心を向けており、ランニングマシンで消費されるカロリーは、バイシクル、ダンスステップ及びローイングマシンなどの他の物より遥かに大きいので、ランニングマシンを基本要素としている。
【考案の開示】
【考案が解決しようとする課題】
【００１１】
この種の装置の問題は、ベルトであるランニング面が、外でのスポーツが通常行われる、例えば芝生などの面とは関係のない特性を備えた樹脂、ゴムなどを主とする材料からできていることである。
【００１２】
したがって、損傷の危険を大きく減少させ、そのような運動が外で行われた場合の実際の条件にできるだけ近いことが、身体的運動が行われるランニングマシンのベルトに望まれる。
【課題を解決するための手段】
【００１３】
本考案で提案されるランニングマシンのベルトは、芝生に似たトレーニング面を提供するという、満足のいく方法で上述された問題を解決する。
【００１４】
それゆえに、より具体的には、ベルトは、ベルト自体に関し、あらゆるタイプのランニングマシンの従来構造に基づき、傾斜調節手段と共に、その長さ方向の動きのために電気駆動手段に取り付けられる。これらは、ベルトの一端から立ち上がっているフレームに取り付けられた操作パネルに接続されるマイクロコントローラによって制御され、使用者が、消費することを望むカロリーと行われる時間とに応じて、ベルトの前進速度及び傾斜の両方を調節することを可能にする。
【００１５】
この従来の構造に基づいて、本考案は、ベルト自体が、ベルトに高い強度及び弾力性を与え装置の耐用年数を伸ばすことを可能にする樹脂、ゴム、又はそのような材料から作られるという事実に焦点を合わせ、接着剤又は他の従来の手段を用いてベルトに付けられる人工芝で表面を覆うことを特徴とする。
【００１６】
その結果、使用者が踏む表面は、従来のランニングマシンとは全く異なり、外で芝生の上を走った時に感じられる感覚に似た異なった感覚を同様に与え、このスポーツを行うことを、行う人にとって、より快適かつ魅力的にする。
【００１７】
与えられた記載の補助として、そして実際の設計での好ましい形態に沿って考案の特徴の更なる理解を提供するために、上記記載の一体部分として、図面が添付される。図面は、図解の方法によって下記を説明するが、本考案を限定しない。
【図面の簡単な説明】
【００１８】
【図１】本考案の内容に沿って作られたランニングマシンの斜視図である。
【図２】実際のランニングマシンの構造に関する詳細側断面図である。
【考案を実施するための形態】
【００１９】
図面は、本考案のランニングマシン（１）を示す。ランニングマシン（１）は、シャシ（２）を基礎とするこのタイプの装置としては標準的な物である。シャシ（２）は、ランニングマシン（１）を床に安定させるための土台（４）に加え、移動のための小さな車輪（３）又は支持脚（３）を有する。土台（４）は、垂直フレーム（５）を含む。シャシ（２）にはベルト（６）が取り付けられ、ベルト（６）は、１つ以上の電気モータ（７）によって長さ方向に駆動される。電気モータ（７）は、ベルト（６）を調節する前進速度装置に取り付けられ、一方でシャシ（２）は、後端にベルト（６）の傾斜を上下に調節する電気切換装置又は同様の装置を備える。ベルト（６）の高さ及び速度を調節するこれらの手段はマイクロコントローラに接続され、マイクロコントローラは、フレーム（５）上端の操作パネル（９）によってベルト（６）を手動で調節することを可能とする。操作パネル（９）は、ランナーの手を支えるための標準的なハンドル（１０）を備える。
【００２０】
本考案の本質によると、この従来の構造を基にして、ベルト（６）が２つの層を含む。内側の第１の層は、従来のように、樹脂、ゴムなどの弾性材からなる。外側の第２の層（１１）は、第１の層を覆い、各場合の具体的な必要性に応じて長さを変えられるポリエチレン繊維を用いた人工芝を主とし、接着剤又は他の従来の手段を用いてベルト（６）に付けられる。
【００２１】
もちろんフレームの仕様は、ベルト自体である新しい組立部品の考慮すべき厚みの増加を受けて再設計される。残りの構造は、これによって大きく影響されることはない。
【図１】
0003164376.tif 000003
【図２】
0003164376.tif 000004